(57)【要約】【課題】  給排気口の取付け時、取付け面が厚い場合、固定金具が十分開かないで固定され給排気口の固定が確実にできない。【解決手段】  室内側開口と室外側を有し、この間に通気風路を形成する給排気口の外側面に、天井等に取り付けたとき、フランジ面とで壁面や天井等を挟んで室内側から固定する操作ができる固定手段を設け、この固定手段を固定金具と、固定金具を締め付ける締め付け手段とで構成し、固定金具を締め付けたとき、固定金具が旋回しながら離れ直線に動くガイド部を設けた。【選択図】      図１
2004317122.tif 000002
【特許請求の範囲】
【請求項１】
室内側開口と室外側開口を有し、この間に通気風路を形成すると共に室内側開口にはフランジを有する本体において、この本体の外側面に、この本体を壁面や天井等に取り付けたとき、前記フランジ面とで壁面や天井等を挟んで固定する操作が室内側からできる固定手段を設け、この固定手段を壁面を押さえる固定金具と、固定金具を締め付ける締め付け手段で構成し、この締め付け手段によって固定金具を締め付けたとき、固定金具の先端が本体から旋回しながら離れ直線に動くように規制するガイド部を設けたことを特徴とする給排気口。
【発明の詳細な説明】
【技術分野】
【０００１】
換気用の給排気口の構造に関するものである。
【背景技術】
【０００２】
従来の換気用の給排気口は図１３、図１４に示すものがあった。図１４は図１３の断面図である。図において本体１０１は室内側に開口するグリル部１０１ａと風路部１０１ｂとダクト接続部１０１ｃが一体となって形成されている。グリル部１０１ａはフランジ部１０１ｄと凹部１０１ｅから形成されている。凹部１０１ｅには本体１０１を壁１０２に固定するための固定金具１０３とそれを取り付ける取付ネジ１０４が対向して設けられている。ダクト接続部１０１ｃは風路部１０１ｂに直交している。このダクト接続部１０１ｃにはダクトが差し込まれテープを巻き付けて固定される。給排気口の取付はダクトを接続する前に壁面１０２に本体１０１を差し込み以下の方法で固定する。
【０００３】
本体１０１を天井、壁面に固定する方法として図１４に示すとおり、板材を曲げた固定金具１０３を取付ネジ１０４と平板にめねじを設けた押さえ板１０５により本体１０１に取り付け、固定金具１０３を凹部１０１ｅの面に対して立たせた状態にして本体１０１を壁面１０２の取付穴１０２ａに挿入した後取付ネジ１０４を回すことにより固定金具１０３が開き壁面１０２をフランジ部１０１ｄとではさみ込んで固定する。
【０００４】
又、風量調節方法はグリル部１０１ａの中央にネジ部１０６ａに設けられた回転板１０６を手で回すことにより、本体内部に収納されている風量調節用ダンパー１０７を上下させ凹部１０１ｅと風量調節ダンパー１０７との隙間の大きさを変えることにより風路の開口率を調節するものである。
【発明の開示】
【発明が解決しようとする課題】
【０００５】
このように構成された従来の給排気口ではダクト接続部１０１ｃとダクトを接続する方法がテープによる固定であるため作業に時間が掛かった。又、ダクト接続部１０１ｃがダクトを接続するためある程度の長さが必要であることと、ダクト接続部１０１ｃと風路部１０１ｂが直交して一体となっていることから本体１０１の形状が大きくなり、輸送時に荷造りが大きくなる。
【０００６】
又、固定金具１０３はそれ自体の重みで開いた後に、押さえ板１０５にて壁面１０２に押さえつけられるが、図１４の左側部分に示すように壁面が厚い場合などで固定金具１０３が十分に開かない内に取付ネジ１０４を回すと押さえ板１０５により逆側に固定され、本体１０１を確実に固定できないといった問題があった。又、本体１０１を取り付ける構成部品として固定金具１０３と取付ネジ１０４と押さえ板１０５を必要とし、部品数が多い問題があった。
【０００７】
又、風量調節ダンパー１０７により風量を調節したとき、グリル部１０１ａからの風の流れが変化してしまうといった問題があった。又、回転板を回して風量を調整したとき、どれだけ調整したか確認できず風量調節ダンパー１０７で調節する際、調整を示すものがないため調整するのが困難であった。
【０００８】
この発明は上記のような問題を解決する為になされたものであり、ダクトや壁面に容易に施工取付ができるとともに、梱包の小型化、又、風量調整が容易で風量調節ダンパーにより風量を調節した際にも風の流れ方向が変わらず均一な風の流れとなる給排気口を得ることを目的とする。
【課題を解決するための手段】
【０００９】
本発明の給排気口は室内側開口と室外側開口を有し、この間に通気風路を形成するとともに室内開口側にはフランジを有する本体において、この本体の外側面に、この壁面や天井等に取り付けたとき、このフランジ面とで壁面や天井等を挟んで室内側から固定する操作ができる固定手段を設け、この固定手段を壁面を押さえる固定金具と、固定金具を締め付ける締め付け手段と、この締め付け手段によって固定金具を締め付けたとき、固定金具の先端が本体から旋回しながら離れ直線に動くように規制するガイド部とで構成したものである。
【発明の効果】
【００１０】
本発明は以上のように構成されているので次のような効果がある。給排気口の本体外側面に室内側から固定する操作ができる固定手段を設けこの固定手段を固定金具と、締め付け手段と、固定金具を旋回して直線に動くように規制するガイド部を構成したことにより、取付壁面の厚さが変化しても強固な固定が容易にできる。
【発明を実施するための最良の形態】
【００１１】
実施の形態．
本発明の実施の形態について図１から図１２を用いて説明する。図１は本発明の実施の形態を表す外観斜視図である。図２は図１の側面方向の断面図である。図３は本体とダクト接続部の分解図である。図に示すように給排気口１は室内側開口１ｋとダクト接続側開口１ｍを有してこの間を連通して風路を形成する本体１ａと、本体１ａの室内側開口１ｋに取り付けられ室内より脱着可能なグリル２と、本体１ａのダクト接続側開口１ｍにダクトを接合させるダクト接続部材３とを組み合わせた構成で、本体１ａには壁面に固定するための本体固定手段２５が設けられている。
【００１２】
本体固定手段２５はリブ９ａと９ｂと固定金具４と、固定金具４を本体１ａに取り付ける取付ネジ５によって構成されている。又、本体１ａの内部には図２に示すように風路の開口面積を調節し風量を調節する風量調節ダンパー６と、風量調節ダンパー６を動かし開口率を調節する際に風量調節ダンパー６が任意の位置に停止できるよう本体１ａに押しつけ固定するバネ７と、バネ固定ネジ８による風量調節機能が構成されている。
【００１３】
本体１ａは風路を構成する第１円筒部１ｂと、第１円筒部１ｂの室内側には壁面取付穴との位置決めを行う第１円筒部１ｂより大きな径の第２円筒部１ｃが連設され、第２円筒部１ｃには壁面に当接するフランジ部１ｄが設けられている。第１円筒部１ｂの第２円筒部１ｃと反対側のダクト接続側にはダクト接続部材３を接続する為の接続口１ｅが室内側からの風路と直角に設けられている。接続口１ｅは外径部分はストレートの円筒形状をして、内径部分は外側の径が大きく本体１ａ側へ向う内側の径が小さくなるテーパー形状となっている。テーパーは後に述べるダクト接続部材３の嵌合部分のテーパーと同じである。テーパーの小径部分の本体１ａの内側には所定の幅の端面をもつ段差１ｎが形成されダクト接続部材３の爪部１４が引っ掛かるようになっている。
【００１４】
ダクト接続側の本体１ａの側面形状は、ダクトの接続口１ｅ側に平面部１ｆが形成されている。本体１ａの内側も同様に平面部が形成されている。平面部１ｆにはバネ７の端部が引っ掛かり回転防止となる凸部１ｇが設けられ、この凸部１ｇからはフランジ部１ｄからの端面にかけて補強のためのリブ１ｐが設けられている。又、本体１ａの第１円筒部１ｂと第２円筒部１ｃにかけて平面部１ｆの面に並行な状態で対向するように本体固定手段２５が複数設けられている。本体固定手段２５は前にも述べたように、固定金具４と、固定金具４を締め付ける取付ネジ５と、固定金具４と取付ネジ５の締め付けによって動きを旋回動作から上下の直線動作に規制させるリブ９ａとリブ９ｂとで構成されている。
【００１５】
前記リブ９ａ、９ｂは第２円筒部１ｃの端面から第１円筒部１ｂに対向して並設されている。リブ９ａの第１円筒部１ｂに設けられた先端部は傾斜部１０が設けられている。傾斜部１０は第１円筒部１ｂから離れる程、第２円筒部１ｃに近くなるように所定の角度にて設けられている。この角度は固定金具４と取付ネジ５で締め付けるとき締め付け力によって固定金具４の先が第１円筒部１ｂから離れるように旋回しながら取付ネジ５で引っ張られて直線的にフランジ部１ｄへ移動できるように構成されている。リブ９ａ、９ｂの間隔は固定金具４の支持部４ｂの幅より若干大きくしてあり、その間に取付ネジ５の取付部１ｈがフランジ部１ｄに設けられている。フランジ部１ｄは第２円筒部１ｃに直角に壁面が平面状に形成され、その平面から室内側へ向けて、周縁部１ｉが所定の幅に形成されている。フランジ部１ｄの周縁部１ｉは複数の凹部１ｊが設けられている。凹部１ｊはグリル２を固定するもので、壁側の面に形成されている。
【００１６】
グリル２は周縁部２ａと、開口部２ｂと、周縁部２ａと開口部２ｂを連結させなだらかな曲線で構成された面部２ｃと、開口部２ｂに設けられた格子２ｄによって構成されている。又、周縁部２ａの内側には対向する２つの面上に台形の形状の爪部２ｅが設けられており、本体１ａのフランジ部１ｄの凹部１ｊとの嵌合によってグリル２を固定できる構造となっている。
【００１７】
次にダクト接続部材３について図３、図４、図５を用いて説明する。ダクト接続部材３はダクトを接続するダクト固定部１２と本体１ａに差し込んで接続する差込部１３により構成され、ダクト固定部１２はカバー部１２ａとダクトをネジ込むネジ部１５から構成されている円筒状のもので円筒の中心線上で３ａと３ｂに２分割されている。分割された３ａと３ｂは一方の分割面の外側を薄肉にて連結部１６を設け連結されている、この連結部１６にて片方がもう一方に対して回転する。又、他方の分割面には３ａと３ｂを合わせたとき、密着連結できるように複数の爪１７とその爪１７がかみ合うかみ合い部１８が設けられている。連結部１６にて３ａと３ｂが連結しているので１つの部品として扱うことができ、取り扱いがしやすく片方がなくなることもない。
【００１８】
ダクト接続部材３の差込部１３はテーパー形状にて形成されテーパーは本体１ａの接続口１ｅの内径テーパーに合うようになっている。差込部１３は複数の溝にて分割されスプリング機能をもたせてある。分割された幅の狭い部分の先端には爪部１４が設けられ本体１ａの接続口１ｅに差し込んだ時接続口１ｅの奥にある段差１ｎに引っ掛って抜け止めの役割をする。ダクト接続部材３を接続口１ｅから取り外す場合は、室内開口側から専用工具にて爪部１４を中側に逃がすことにより取り外すことができる。ダクト固定部１２に設けられたネジ部１５は内部形状がダクトの外形に形成されているおねじ形状の凸部に合う。図５は図４の差込部１３側からみた図を示す。
【００１９】
このように構成されたダクト接続部材３は図３に示す円筒形状から図４、図５に示す分割形状に可逆的に変形可能である。このためダクトをダクト接続部材３に接続する場合、円筒形状態のダクト接続部材３のカバー部１２ａ側からダクトをダクト固定部１２にねじ込みながら固定する方法や図４のように分割形状のダクト接続部材３の３ａ又は３ｂのダクト固定部１２のねじ部１５にダクトのネジ形状の凸部を合わせ、もう一方の分割部をかぶせて連結することによってダクトを挟み込んで接続する方法が可能である。
【００２０】
施工例として図６、図７を用いて壁２０への取付例を説明する。図６は給排気口１が壁取付穴１９に壁２０を固定金具４とフランジ部１ｄで挟みこみ固定されている。又、ダクト２１はダクト接続部材３にネジ部１５によって固定されている。
【００２１】
図８は固定金具４の移動奇跡を示す。図９は図８の側面図である。取付ネジ５を回すことにより、固定金具４は下降する。下降する際、リブ９ａに設けられた傾斜部１０により固定金具４は同時に回転し、反対側のリブ９ｂに支持部４ｂが接触した時点で回転が終了し壁２０を押さえるまで直線的に下降する。これにより任意の厚さの壁２０に対し本体１ａを容易に確実に固定できる。又、壁２０の厚さが変化したり、ばらついても対応ができる。
【００２２】
固定金具４は図１０に示すようにステンレス鋼板又は鉄板に塗装やメッキ等の表面処理を施した板を折り曲げた形状で取付ネジ５を通すめねじ部４ａとリブ９ａと９ｂの間に位置して回転する際の位置決めとなる支持部４ｂと壁面を押さえ付ける突起部４ｃとそれらをつなげるハリ部４ｄにより構成される。
【００２３】
図１１は給排気口本体１ａ内に設けられた風量調節ダンパー６の構造を示す室内側開口１ｋからの斜視図である。図１２は室内側開口１ｋからの正面図である。本体１ａの内部である平面部１ｆの裏側には風路となるダクト接続部材３の開口の大きさを調節する風量調節ダンパー６が摺動可能にダクト接続側開口１ｍの軸線に直交するように設けてある。本体１ａの内側にはリブ１１が図１２に示すように一定の幅をもって両側に第２円筒部１ｃからダクト接続側開口１ｍの中心より上部まで設けられている。風量調節ダンパー６は平板形状にて移動方向に平行に溝２２が設けられ、ダクト接続部材３の側は本体１ａ内部形状に合わせてＲ部６ａを形成し、その対向側は端面の一方向を直角に曲げた曲げ部２３を構成している。又、溝２２の間に位置し曲げ側には穴部６ｃが設けられている。風量調節用ダンパー６を開閉するときは曲げ部２３または穴部６ｃをもって行う。
【００２４】
Ｒ部６ａと曲げ部２３との間の両側はダンパーの開閉動作に対して左右方向の動きを規制する爪６ｂが切り起こしにて形成されリブ１１の側面に摺動する。バネ７は図１２に示すようにハの字に曲げられその開いた先端は風量調節ダンパー６の面にそうように曲げらた引掛部７ａが構成されている。この引掛部７ａの間の距離は風量調節ダンパー６の溝２２の幅より少し大きな寸法になっており風量調節ダンパー６に取り付けた際にリブ１１へ風量調節ダンパー６を押しつける構造となっている。バネ７はバネ固定ネジ８により本体１ａに固定されている。
又、本体１ａの平面部１ｆの内側には風量調節ダンパー６の位置によって風路の開口率を表示する印２４が複数設けられており、印２４は数本の直線状の溝又は凸部によって棒グラフ状に設けられ、風量調節ダンパー６が最も開いた時を開口率１００％とし最も短く、最も閉じたときを開口率２０％として最も長くなって印２４の近くにその数値を表示している。表示の間隔は必要に応じて本数を決める。風量調節ダンパー６と印２４の関係は印２４の先端に風量調節ダンパー６の曲げ部２３が合ったときが開口率が表示する値となる。
【００２５】
風量調節ダンパー６はバネ７により溝２２を介して本体１ａの内部のリブ１１に押しつけられ摺動可能に支持されている。溝２２にバネ７を通すことにより風量調節ダンパー６のガイドにもなり滑らかな動きが得られ、又、ばたつきを押さえることができる。バネ７はバネ固定ネジ８により本体１ａに固定されている。曲げ部２３を手で持って動かし任意の位置に停止可能で風路の開口率が容易に変更、調節できる。溝２２は風量調節ダンパー６にバネ７の力を与える力点として働くだけでなく風量調節ダンパー６の開閉方向の位置決めの役割を果たす。
【００２６】
又、風量調節ダンパー６を平板で構成し、その保持を薄いバネ７で押さえているので風路上の抵抗や風の流れを乱すことが無く均一な風の流れが得られる。
又、風量調節ダンパー６を本体１ａの平面部１ｆの内側にダクト接続側開口１ｍの軸線に直交するように設けてあるので本体１ａが小形にできる。
又、本体１ａには開口率を表示する複数の溝等の印２４が設けられその印の元に開口率の値が表示されているので、見やすく開口率の調節が容易に正確にできる。なお、印２４の表示方法として、本実施の形態では棒グラフ状の線の先にて位置表示したか、他の階段状の折れ線や、複数の点状の表示や、一本の棒状に目盛り表示する方法なども同様な機能が得られる。又、これを色別表示すれば更に見やすいものになる。
【図面の簡単な説明】
【００２７】
【図１】本発明の給排気口の外観斜視図
【図２】本発明の給排気口の断面図
【図３】本発明の給排気口の本体とダクト接続口の分割図
【図４】本発明のダクト接続口の分解図
【図５】本発明のダクト接続口の差し込み方向から見た分解図
【図６】本発明の給排気口の取り付け状態の断面図
【図７】本発明の給排気口の取り付け状態の側面の断面図
【図８】本発明の固定金具の移動軌跡を示す斜視図
【図９】本発明の固定金具の移動軌跡を示す側面図
【図１０】本発明の固定金具の詳細図
【図１１】本発明の風量調節ダンパー部分の斜視図
【図１２】本発明の風量調節ダンパー部分の側面
【図１３】従来の給排気口の斜視図
【図１４】従来の給排気口の側面図
【符号の説明】
【００２８】
１ａ  本体、  ３  ダクト接続口、  ４  固定金具、  ５  取付ネジ、  ６  風量調節ダンパー、  ７  バネ、  ９ａ  リブ、  ９ｂ  リブ、  １０  傾斜部、  １１  リブ、  １２  ダクト固定部、  １３  差込部、  １４  爪部、  １５  ネジ部、  １６  連結部、  ２２  溝、  ２３  曲げ部、  ２４  印。
【図１】
2004317122.tif 000003
【図２】
2004317122.tif 000004
【図３】
2004317122.tif 000005
【図４】
2004317122.tif 000006
【図５】
2004317122.tif 000007
【図６】
2004317122.tif 000008
【図７】
2004317122.tif 000009
【図８】
2004317122.tif 000010
【図９】
2004317122.tif 000011
【図１０】
2004317122.tif 000012
【図１１】
2004317122.tif 000013
【図１２】
2004317122.tif 000014
【図１３】
2004317122.tif 000015
【図１４】
2004317122.tif 000016